(57)【要約】  カップ形で平行六面体の形状である外側の第１の容器（２）と、開放位置と閉鎖位置との間を回転するようにこの外側の第１の容器（２）にヒンジ式に取り付けられている第１の蓋（４）とを有する、紙巻き煙草パッケージ（１）であって、外側の第１の容器（２）は２つから４つの内側の第２の容器（１８）を収容し、この内側の第２の容器（１８）の各々は、カップ形であり、紙巻き煙草のグループ（１９）を収容し、平行六面体形であり、および、第２の蓋（２１）が、開放位置と閉鎖位置との間を回転するように各々の内側の第２の容器（１８）にヒンジ式に取り付けられており、および、第１の蓋（４）が閉鎖位置にある時に各々の第２の蓋（２１）の頂部壁（３０）が第１の蓋（４）の頂部壁（１３）に直接的に接触し、かつ、各々の第２の蓋（２１）の少なくとも１つの側部壁（２９）が第１の蓋（４）の側部壁（１２）に直接的に接触するように、内側の第２の容器（１８）は外側の第１の容器（２）の内側に収容されている。
2008531407.tif 000002
【特許請求の範囲】
【請求項１】
紙巻き煙草パッケージであって、
外側の第１の容器（２）であって、カップ形であり、平行六面体形であり、かつ、後部壁（６）と前部壁（７）と２つの側部壁（８）と底部壁（９）と開放頂部末端（３）とを備え、および、第１の蓋（４）が、前記開放頂部末端（３）を開く開放位置と前記開放頂部末端を閉じる閉鎖位置との間で回転するように第１のヒンジ（５）に沿って前記外側の第１の容器（２）にヒンジ式に取り付けられており、および、後部壁（１０）と前部壁（１１）と２つの側部壁（１２）と頂部壁（１３）とを備える外側の第１の容器（２）と、
幾つかの内側の第２の容器（１８）であって、この内側の第２の容器（１８）の各々は、前記外側の第１の容器（２）の内側に収容されており、カップ形であり、紙巻き煙草グループ（１９）を収容し、平行六面体形であり、かつ、後部壁（２３）と前部壁（２４）と２つの側部壁（２５）と底部壁（２６）と開放頂部末端（２０）とを備え、および、第２の蓋（２１）が、前記開放頂部末端（２０）を開く開放位置と前記開放頂部末端を閉じる閉鎖位置との間で回転するように第２のヒンジ（２２）に沿ってこの内側の第２の容器（１８）の各々にヒンジ式に取り付けられており、および、後部壁（２７）と前部壁（２８）と２つの側部壁（２９）と頂部壁（３０）とを備える内側の第２の容器（１８）
とを備える紙巻き煙草パッケージにおいて、
前記内側の第２の容器（１８）は２個から４個の個数であり、および、前記第１の蓋（４）が前記閉鎖位置にある時に、各々の第２の蓋（２１）の前記頂部壁（３０）が前記第１の蓋（４）の前記頂部壁（１３）に直接的に接触するように、かつ、各々の第２の蓋（２１）の少なくとも１つの側部壁（２９）が前記第１の蓋（４）の側部壁（１２）に直接的に接触するように、前記内側の第２の容器（１８）は前記外側の第１の容器（２）の内側に収容されていることを特徴とする紙巻き煙草パッケージ。
【請求項２】
各々の第２のヒンジ（２２）は前記第１のヒンジ（５）に対して平行である請求項１に記載の紙巻き煙草パッケージ。
【請求項３】
各々の第２のヒンジ（２２）は前記第１のヒンジ（５）に交差している請求項１に記載の紙巻き煙草パッケージ。
【請求項４】
前記内側の第２の容器（１８）は、それぞれの前記側部壁（２５）において互いに横に並んで配置されるように前記外側の第１の容器（２）の内側に収容されており、各々の内側の第２の容器（１８）の前記前部壁（２４）は、前記外側の第１の容器（２）の前記前部壁（７）に直接的に接触するように位置させられており、および、各々の内側の第２の容器（１８）の前記後部壁（２３）は、前記外側の第１の容器（２）の前記後部壁（６）に直接的に接触するように位置させられている請求項１、２または３に記載の紙巻き煙草パッケージ。
【請求項５】
前記内側の第２の容器（１８）は、それぞれの前記前部壁（２４）および前記後部壁（２３）において互いに横に並んで配置されるように前記外側の第１の容器（２）の内側に収容されており、および、各々の内側の第２の容器（１８）の両方の側部壁（２５）は、前記外側の第１の容器（２）のぞれぞれの側部壁（８）に直接的に接触するように位置させられている請求項１、２または３に記載の紙巻き煙草パッケージ。
【請求項６】
前記内側の第２の容器（１８）内の前記紙巻き煙草グループ（１９）は、紙巻き煙草の本数および／または紙巻き煙草のタイプに関して互いに異なっている請求項１から５のいずれか一項に記載の紙巻き煙草パッケージ。
【請求項７】
各々の内側の第２の容器（１８）の内側に収容されている前記紙巻き煙草グループ（１９）は、箔包装材料シートまたはこの類似物の中に包装されている請求項１から６のいずれか一項に記載の紙巻き煙草パッケージ。
【請求項８】
各々の内側の第２の容器（１８）の内側に収容されている前記紙巻き煙草グループ（１９）は、間に別の包装材料を挟むことなしに、前記内側の第２の容器（１８）に直接的に接触する請求項１から６のいずれか一項に記載の紙巻き煙草パッケージ。
【請求項９】
前記外側の第１の容器（２）は第１のカラー（３７）を備え、前記第１のカラー（３７）は、Ｕ字形に折り曲げられており、かつ、前記第１の蓋（４）が前記閉鎖位置にある時に前記開放頂部末端（３）の外方に部分的に突き出して前記第１の蓋（４）の対応する内側表面に係合するように、前記外側の第１の容器（２）の内側に連結されている請求項１から８のいずれか一項に記載の紙巻き煙草パッケージ。
【請求項１０】
前記第１のカラー（３７）は２つの突出部（３８）を備え、前記２つの突出部（３８）は、前記第１の蓋（４）が前記閉鎖位置にある時に特定の量の干渉を伴って前記第１の蓋（４）に係合するように外方に突き出る請求項９に記載の紙巻き煙草パッケージ。
【請求項１１】
前記外側の第１の容器（２）は平らなブランク（４５）で作られおり、および、前記ブランク（４５）の前記第１のカラー（３７）は一体状の部分を形成する請求項９または１０に記載の紙巻き煙草パッケージ。
【請求項１２】
前記第１のカラー（３７）は、前記外側の第１の容器（２）の前記前部壁（７）に対して平行でありかつわずかにオフセットしている前部壁（３９）と、前記外側の第１の容器（２）のそれぞれの前記側部壁８に対して各々が平行でありかつわずかにオフセットしている２つの側部壁（４０）とを備える請求項１１に記載の紙巻き煙草パッケージ。
【請求項１３】
「型押し」方法を使用して、前記第１のカラー（３７）の前記前部壁（３９）と前記側部壁（４０）は、前記外側の第１の容器（２）の前記前部壁（７）と前記側部壁（８）とに対して相対的に押し下げられている請求項１２に記載の紙巻き煙草パッケージ。
【請求項１４】
前記第１の蓋（４）は２つの座（４１）を備え、前記２つの座（４１）の各々は、前記第１の蓋のそれぞれの側部壁（１２）に位置しており、および、前記外側の第１の容器（２）に面しておりかつ前記第１の蓋の前記側部壁（１２）に対して平行である開口部（４２）を有し、および、前記第１のカラー（３７）の各々の側部壁（４０）の頂部部分（４３）は、前記第１の蓋（４）が前記閉鎖位置にある時に、前記座（４１）内の前記開口部（４２）の中を通ってそれぞれの座（４１）の内側に嵌り込むように設計されている請求項９から１３のいずれか一項に記載の紙巻き煙草パッケージ。
【請求項１５】
各々の座（４１）の前記開口部（４２）と、前記第１のカラー（３７）の各々の側部壁（４０）の頂部端縁（４４）は、前記第１の蓋（４）が前記閉鎖位置に回転させられる時に前記頂部端縁（４４）が前記開口部（４２）の内側に漸進的に嵌り込むように設計されている請求項１４に記載の紙巻き煙草パッケージ。
【請求項１６】
各々の内側の第２の容器（１８）は第２のカラー（３５）を備え、前記第２のカラー（３５）はＵ字形に折り曲げられており、かつ、前記第２の蓋（２１）が前記閉鎖位置にある時に前記開放頂部末端（２０）の外方に部分的に突き出して前記第２の蓋（２１）の対応する内側表面に係合するように、前記内側の第２の容器（１８）の内側に連結されている請求項１から１５のいずれか一項に記載の紙巻き煙草パッケージ。
【請求項１７】
前記外側の第１の容器（２）は、前記側部壁（８）と前記前部壁（７）と前記後部壁（６）との間に画定されている４つの縦方向の端縁（１４）と、前記底部壁（９）と前記側部壁（８）と前記前部壁（７）と前記後部壁（６）との間に画定されている４つの横断方向の端縁（１５）とを有し、および、前記第１の蓋（４）は、前記側部壁（１２）と前記前部壁（１１）と前記後部壁（１０）との間に画定されている４つの縦方向の端縁（１６）と、前記頂部壁（１３）と前記側部壁（１２）と前記前部壁（１１）と前記後部壁（１０）との間に画定されている４つの横断方向の端縁（１７）とを有し、および、各々の内側の第２の容器（１８）は、前記側部壁（２５）と前記前部壁（２４）と前記後部壁（２３）との間に画定されている４つの縦方向の端縁（３１）と、前記底部壁（２６）と前記側部壁（２５）と前記前部壁（２４）と前記後部壁（２３）との間に画定されている４つの横断方向の端縁（３２）とを有し、および、各々の第２の蓋（２１）は、前記側部壁（２９）と前記前部壁（２８）と前記後部壁（２７）との間に画定されている４つの縦方向の端縁（３３）と、前記頂部壁（３０）と前記側部壁（２９）と前記前部壁（２８）と前記後部壁（２７）との間に画定されている４つの横断方向の端縁（３４）とを有する請求項１から１６のいずれか一項に記載の紙巻き煙草パッケージ。
【請求項１８】
前記第１の蓋（４）の前記縦方向の端縁（１６）および前記横断方向の端縁（１７）は、前記外側の第１の容器（２）の前記縦方向の端縁（１４）および前記横断方向の端縁（１５）と同一の形状および実質的に同一のサイズであり、および、各々の第２の蓋（２１）の前記縦方向の端縁（３３）および前記横断方向の端縁（３４）は、それぞれの前記内側の第２の容器（１８）の前記縦方向の端縁（３１）および前記横断方向の端縁（３２）と同一の形状および実質的に同一のサイズである請求項１７に記載の紙巻き煙草パッケージ。
【請求項１９】
前記縦方向の端縁（１４、１６、３１、３３）の少なくとも幾つかは、丸められているか、または、面取りされている請求項１７または１８に記載の紙巻き煙草パッケージ。
【請求項２０】
前記横断方向の端縁（１５、１７、３２、３４）の少なくとも幾つかは、丸められているか、または、面取りされている請求項１７または１８に記載の紙巻き煙草パッケージ。
【請求項２１】
前記外側の第１の容器（２）は平らなブランク（４５）から作られており、前記ブランク（４５）は、２つの縦方向の折り目線（４６）と、幾つかの横断方向の折り目線（４７）とを有し、前記横断方向の折り目線（４７）は、前記縦方向の折り目線（４６）との間で、前記外側の第１の容器（２）の前記前部壁（７）を形成する第１のパネル（７′）と、
前記外側の第１の容器（２）の前記底部壁（９）を形成する第２のパネル（９′）と、
前記外側の第１の容器（２）の前記後部壁（６）を形成する第３のパネル（６′）と、
前記第１の蓋（４）の前記後部壁（１０）を形成する第４のパネル（１０′）と、
前記第１の蓋（４）の前記頂部壁（１３）を形成する第５のパネル（１３′）と、
前記第１の蓋（４）の前記前部壁（１１）を形成する第６のパネル（１１′）と、
前記第１の蓋（４）の前記前部壁（１１）を補強するための内側の第１の舌状部（４８）
とを画定する請求項１から２０のいずれか一項に記載の紙巻き煙草パッケージ。
【請求項２２】
前記第１のパネル（７′）は２つの第１のタブ（８′）を備え、前記２つの第１のタブ（８′）は、前記外側の第１の容器（２）の前記側部壁（８）のそれぞれの外側部分を形成し、前記第１のパネル（７′）の互いに反対側に位置した側部上に位置しており、および、前記縦方向の折り目線（４６）によって前記第１のパネル（７′）から隔てられており、および、前記第３のパネル（６′）は２つの第２のタブ（８″）を有し、前記２つの第２のタブ（８″）は、前記外側の第１の容器（２）の前記側部壁８のそれぞれの内側部分を形成し、前記第３のパネル（６′）の互いに反対側に位置した側部上に位置しており、および、前記縦方向の折り目線（４６）によって前記第３のパネル（６′）から隔てられており、および、前記第４のパネル（１０′）は２つの第３のタブ（１２″）を有し、前記２つの第３のタブ（１２″）は、前記第１の蓋（４）の前記側部壁（１２）のそれぞれの内側部分を形成し、前記第４のパネル（１０′）の互いに反対側に位置した側部上に位置しており、および、前記縦方向の折り目線（４６）によって前記第４のパネル（１０′）から隔てられており、および、前記第６のパネル（１１′）は２つの第４のタブ（１２′）を有し、前記２つの第４のタブ（１２′）は、前記第１の蓋（４）の前記側部壁（１２）のそれぞれの外側部分を形成し、前記第６のパネル（１１′）の互いに反対側に位置した側部上に位置しており、および、前記縦方向の折り目線（４６）によって前記第６のパネル（１１′）から隔てられている請求項２１に記載の紙巻き煙草パッケージ。
【請求項２３】
各々の第２のタブ（８″）は、前記外側の第１の容器（２）の前記底部壁（９）を補強するための内側の第２の舌状部（４９）に対して前記横断方向の折り目線（４７）に沿って連結されており、および、各々の第３のタブ（１２″）は、前記第１の蓋（４）の前記頂部壁（１３）を補強するための内側の第３の舌状部（５０）に対して横断方向の折り目線（４７）に沿って連結されている請求項２２に記載の紙巻き煙草パッケージ。
【発明の詳細な説明】
【技術分野】
【０００１】
本発明は、ヒンジ式蓋付き紙巻き煙草パッケージに関する。
【背景技術】
【０００２】
堅固なヒンジ式蓋付き紙巻き煙草パッケージが、生産が容易であり、使用が実際的で容易であることによって、かつ、内側の紙巻き煙草を効果的に保護することによって、現在では最も広く販売されている。
【０００３】
堅固なヒンジ式蓋付き紙巻き煙草パッケージは、開放末端を有するカップ形の容器と、この開放末端を開く開放位置とこの開放末端を閉じる閉鎖位置との間でその容器に対して相対的に回転するように、ヒンジに沿ってその容器にヒンジ式に取り付けられているカップ形の蓋とを備える。
【０００４】
この容器は、箔包装材料シート内に包装されておりかつそれぞれに７本、６本、７本ずつの３つの列の形に配列されている２０本の紙巻き煙草を通常は含む、整然とした紙巻き煙草グループを収容する。消費者の中には、より少ない本数（通常は６本から１０本の標準サイズ）の紙巻き煙草を含むグループを好むものがいるが、この理由は、一般的に、１日当たりに喫煙する紙巻き煙草の本数を減少させることであり、当然のことであるが、これは、目標数だけしか入手できない場合には実行がより容易である。
【０００５】
この要求を満たすために、８本から１０本の紙巻き煙草グループを収容する小型で堅固な紙巻き煙草パッケージと、互いに連結されておりかつ６本から１０本の紙巻き煙草グループを各々が収容する複数の容器を備える堅固な紙巻き煙草パッケージとが、現在市販されている。
【０００６】
しかし、連結された複数の容器を備える現在市販されている堅固な紙巻き煙草パッケージ（「折り畳みパッケージ（ｆｏｌｄｉｎｇ  ｐａｃｋａｇｅ）」として商業的に公知である）は、生産が複雑であることと、特別に設計された包装機械と、貯蔵および折り曲げが困難であるＬ字形のブランクとの両方の使用を必要とすることとによって、非常に高コストである。
【０００７】
従来の堅固な紙巻き煙草パッケージ内の紙巻き煙草の本数の多くとも半分の本数を収容するにも係わらず、従来の堅固な紙巻き煙草パッケージの包装材料の７０−８０％が依然として必要とされるので、小型で堅固な紙巻き煙草パッケージ（すなわち、多くとも１０本の標準サイズの紙巻き煙草を収容する）さえも非常に高コストである。さらに、消費者は少ない本数の紙巻き煙草を含むグループを好むが、１回に８本から１０本の紙巻き煙草を頻繁に購入することは、（特に、小売業者が好都合な場所にない場合には）明らかに不便であり、したがって消費者は、おそらくは通常は１０個のパッケージを含むカートンの形で、多数の紙巻き煙草パッケージを購入する傾向がある。
【０００８】
特許出願ＵＳ２００３１８３５４１Ａ１が、内側の紙巻き煙草パッケージと同一のヒンジ式取り付け蓋の設計であるヒンジ式蓋付き紙巻き煙草カートンを開示し、および、このヒンジ式蓋付き紙巻き煙草カートンは、２つの重なり合った列の形に配列された１０個の紙巻き煙草パッケージを収容し、この２つの列の各々は、１つのパッケージの前部壁が隣接パッケージの後部壁に接触する形で、互いに横に並んで配置されている５つの紙巻き煙草パッケージを含む。しかし、特許出願ＵＳ２００３１８３５４１Ａ１に説明されているタイプの紙巻き煙草カートンは極めて大きくて扱いにくく、したがってポケットまたはバッグに入れて持ち運ぶことが困難である。
【発明の開示】
【発明が解決しようとする課題】
【０００９】
本発明の目的は、公知の紙巻き煙草パッケージよりも実用的であり、上述の欠点を取り除き、および、これと同時に、生産が低コストかつ容易である、ヒンジ式蓋付き紙巻き煙草パッケージを提供することである。
【課題を解決するための手段】
【００１０】
本発明によって、添付されている特許請求項に記載されている紙巻き煙草パッケージが提供される。
【００１１】
本発明の幾つかの非限定的な実施態様を、添付図面を参照しながら例示的に説明する。
【発明を実施するための最良の形態】
【００１２】
図１から図４の番号１が、開放頂部末端３を有するカップ形の外側容器２と、この開放末端３を開く開放位置（図３および図４）とこの開放末端３を閉じる閉鎖位置（図１および図２）との間でその外側容器２に対して相対的に回転するようにヒンジ５に沿ってその外側容器２にヒンジ式に取り付けられているカップ形の蓋４とを備える、堅固な紙巻き煙草パッケージを全体として示す。
【００１３】
外側容器２は、カップ形であり、平行六面体形であり、および、後部壁６と前部壁７と２つの側部壁８と底部壁９と上記開放頂部末端３とを有する。蓋４はカップ形であり、外側容器２の後部壁６上のヒンジ５に沿って外側容器２にヒンジ式に取り付けられており、および、後部壁１０と前部壁１１と２つの側部壁１２と頂部壁１３とを有する。ヒンジ５は、通常は、外側容器２の後部壁６と蓋４の後部壁１０との間に配置されている。図示されていない別の実施形態では、ヒンジ５は外側容器２の側部壁８と蓋４の側部壁１２との間に配置されている。
【００１４】
外側容器２は、側部壁８と前部壁７と後部壁６との間に画定されている４つの縦方向の端縁１４と、底部壁９と側部壁６と前部壁７と後部壁６との間に画定されている４つの横断方向の端縁１５とを有する。蓋４は、側部壁１２と前部壁１１と後部壁１０との間に画定されている４つの縦方向の端縁１６と、頂部壁１３と側部壁１２と前部壁１１と後部壁１０との間に画定されている４つの横断方向の端縁１７とを有する。蓋４の縦方向の端縁１６および横断方向の端縁１７は、通常は、それぞれに外側容器２の縦方向の端縁１４および横断方向の端縁１５と同一の形状およびサイズである。
【００１５】
図３と図４に示されているように、外側容器２は２つの内側容器１８を収容し、および、この２つの内側容器１８の各々はカップ形であり、平行六面体形であり、箔包装材料シートで包装されておりかつ内側容器１８の開放頂部末端２０（図７）から突き出る紙巻き煙草のグループ１９（図７）を収容する。図示されていない別の実施形態では、各々の紙巻き煙草のグループ１９が、間に別の包装材料を挟むことなしに、内側容器１８に直接的に接触する。
【００１６】
図５と図６と図７に示されているように、蓋２１は、開放末端２０を開く開放位置（図７）とこの開放末端２０を閉じる閉鎖位置（図５および図６）との間で内側容器１８に対して相対的に回転するように、ヒンジ２２に沿って各々の内側容器１８にヒンジ式に取り付けられている。各々の内側容器は、後部壁２３と、前部壁２４と、２つの側部壁２５と、底部壁２６と、上記開放頂部末端２０とを備える。各々の蓋２１は、カップ形であり、内側容器１８の後部壁２３上のヒンジ２２に沿って内側容器１８にヒンジ式に取り付けられており、および、後部壁２７と、前部壁２８と、２つの側部壁２９と、頂部壁３０とを備える。ヒンジ２２は、通常は、内側容器１８の後部壁２３と蓋２１の後部壁２７との間に配置されている。図示されていない別の実施形態では、ヒンジ２２は、内側容器１８の側部壁２５と蓋２１の側部壁２９との間に配置されている。
【００１７】
各々の内側容器１８は、側部壁２５と前部壁２４と後部壁２３との間に画定されている４つの縦方向の端縁３１と、底部壁２６と側部壁２５と前部壁２４と後部壁２３との間に画定されている４つの横断方向の端縁３２とを有する。各々の蓋２１は、側部壁２９と前部壁２８と後部壁２７との間に画定されている４つの縦方向の端縁３３と、頂部壁３０と側部壁２９と前部壁２８と後部壁２７との間に画定されている４つの横断方向の端縁３４とを有する。蓋２１の縦方向の端縁３３および横断方向の端縁３４は、通常は、それぞれに内側容器１８の縦方向の端縁３１および横断方向の端縁３２と同一の形状およびサイズである。
【００１８】
カラー３５（図７）が各々の内側容器１８の内側に接着されており、Ｕ字形に折り曲げられており、および、蓋２１が閉鎖位置にある時に蓋２１の対応する内側表面に係合するように開放頂部末端２０の外方に部分的に突き出る。カラー３５の機能は、蓋２１を開くために特定の量の力を必要とすることによって、蓋２１を閉鎖位置に保持することである。この目的のために、カラー３５が２つの突出部３６を備え、および、この２つの突出部３６が、蓋２１が閉鎖位置にある時に特定の量の干渉を伴って蓋２１に係合するように外方に突き出ることが好ましい。
【００１９】
添付図面に示されている実施形態では、各内側容器１８のヒンジ２２は外側容器２のヒンジ５に対して平行である。図示されていない別の実施形態では、各内側容器１８のヒンジ２２は外側容器２のヒンジ５に対して交差している。
【００２０】
図３と図４に示されているように、外側容器２は、それぞれの異なる紙巻き煙草グループ１９を収容するために、互いに異なるサイズの２つの内側容器１８を収容する。この２つの内側容器１８は、前部壁２４と後部壁２３とにおいて互いに横に並んで配置され、したがって、各内側容器１８の側部壁２５の両方は外側容器２のそれぞれの側部壁８に直接的に接触する。
【００２１】
図８と図９に示されているように、外側容器２は、それぞれの同一の紙巻き煙草グループ１９を収容するために、互いに同一のサイズである３つの内側容器１８を収容する。この３つの内側容器１８は、前部壁２４と後部壁２３とにおいて互いに横に並んで配置され、したがって、各内側容器１８の側部壁２５の両方は外側容器２のそれぞれの側部壁８に直接的に接触する。
【００２２】
図１０と図１１に示されているように、外側容器２は、それぞれの同一の紙巻き煙草グループ１９を収容するために、互いに同一のサイズである２つの内側容器１８を収容する。この２つの内側容器１８は、側部壁２５において互いに横に並んで配置され、各内側容器１８の前部壁２４は外側容器２の前部壁７に直接的に接触し、かつ、各内側容器１８の後部壁２３は外側容器２の後部壁６に直接的に接触する。
【００２３】
図示されていない別の実施形態では、外側容器２は４つの内側容器１８を収容し、および、この４つの内側容器１８は、前部壁２４と後部壁２３とにおいて互いに横に並んで配置されてもよく、または、前部壁２４と後部壁２３とにおいて対の形で互いに横に並んで配置されてもよく、または、側部壁２５において対の形で互いに横に並んで配置されてもよい。
【００２４】
同一の堅固な紙巻き煙草パッケージ１の内側容器１８が互いに同一のまたは互いに異なる紙巻き煙草グループ１９を収容することもできるということが指摘されなければならない。後者の場合には、紙巻き煙草グループ１９は、紙巻き煙草の本数および／またはタイプ（異なる煙草タイプおよび／または異なる紙巻き煙草サイズ）に関して互いに異なっていてもよい。
【００２５】
添付図面において、各蓋２１の縦方向の端縁３３および横断方向の端縁３４はそれぞれに蓋４の縦方向の端縁１６および横断方向の端縁１７と実質的に同一の形状およびサイズであり、および、各内側容器１８の縦方向の端縁３１および横断方向の端縁３２はそれぞれに外側容器２の縦方向の端縁１４および横断方向の端縁１５と実質的に同一の形状およびサイズである。図示されていない別の実施形態では、各蓋２１の縦方向の端縁３３および横断方向の端縁３４はそれぞれに蓋４の縦方向の端縁１６および横断方向の端縁１７とは異なった形状にされており、および、各内側容器１８の縦方向の端縁３１と横断方向の端縁３２はそれぞれに外側容器２の縦方向の端縁１４と横断方向の端縁１５とは異なった形状にされている。
【００２６】
添付図面に示されている実施形態では、縦方向の端縁１４、１６、３１、３３と横断方向の端縁１５、１７、３２、３４はすべて正方形である。図示されていない別の実施形態では、縦方向の端縁１４、１６、３１、３３の少なくとも幾つか、または、横断方向の端縁１５、１７、３２、３４の少なくとも幾つかが、丸められているか、または、面取りされている。例えば、縦方向の端縁１４、１６、３１、３３はすべて、非正方形の端縁であるか、丸められている端縁であるか、または、面取りされている端縁であってよく、または、（特許出願ＥＰ−Ａ１−０７６４５９５で説明されている紙巻き煙草パッケージの場合にように）横断方向の端縁１５、１７、３２、３４の中の幾つかは、非正方形の端縁であるか、丸められている端縁であるか、または、面取りされている端縁であってよい。あるいは、この代わりに、幾つかの縦方向の端縁１４、１６、３１、３３と、幾つかの横断方向の端縁１５、１７、３２、３４とが、非正方形であるか、丸められているか、または、面取りされている縦方向の端縁１４、１６、３１、３３と横断方向の端縁１５、１７、３２、３４との両方を有するように、非正方形の端縁であるか、丸められている端縁であるか、または、面取りされている端縁であってよい。
【００２７】
図示されていない別の実施形態では、パッケージ１は、特許出願ＥＰ−Ａ１−１０６６２０５で説明されている紙巻き煙草パッケージに類似していることがあり、この場合には、外側容器２の後部壁６と、外側容器２の前部壁７と、蓋４の後部壁１０と、蓋４の前部壁１１は、外方に凸状であり、および、各々は、平らな中央部分と、それぞれの鋭利で非正方形の縦方向の端縁１４または端縁１６において側部壁８または側部壁１２にその平らな中央部分を連結する２つの湾曲した側部折り目ストリップとを有する。上述の実施形態では、各内側容器１８の後部壁２３と、各内側容器１８の前部壁２４と、各蓋２１の後部壁２７と、各壁２１の前部壁２８とが同様に外方に凸状であり、かつ、各々が、平らな中央部分と、それぞれの鋭利で非正方形の縦方向の端縁３１または端縁３３において側部壁２５または側部壁２９にその平らな中央部分を連結する２つの湾曲した側部折り目ストリップとを有することが好ましい。
【００２８】
図３、図４、図８、および、図９に示されている実施形態では、蓋４と内側容器１８との間に生じさせられる少量の機械的干渉が、蓋４を開くために特定の量の力を必要とするのに十分であり、および、したがって、蓋４を閉鎖位置に保持するのに十分であるので、外側容器２はカラーを備えない。しかし、使用時（典型的には、内側容器が空である時）に１つまたは複数の内側容器１８を外側容器２から取り外すことが、蓋４と内側容器１８との間の少量の機械的干渉を取り除くので、外側容器２に取り付けられているカラーは依然として有用である。この理由から、図１０と図１１の実施形態では、外側容器２は、一体状のカラー３７、すなわち、外側容器２を形成するブランクの形成部分を備え、および、同等のカラーが図３、図４、図８、および、図９の実施形態においても備えられるだろう。
【００２９】
図１０と図１１に示されているように、カラー３７は、蓋４が閉鎖位置にある時に蓋４の対応する内側表面に係合するように、開放頂部末端３の外側に突き出る。カラー３７の機能は、蓋４を開くために特定の量の力を必要とすることによって蓋４を閉鎖位置に保持することである。この目的のために、カラー３７が２つの突出部３８を備え、および、この２つの突出部３８が、蓋４が閉鎖位置にある時に特定の量の干渉を伴って蓋４に係合するように外方に突き出ることが好ましい。
【００３０】
カラー３７は、外側容器２の前部壁７に対して平行であり、この前部壁７に連結されており、かつ、この前部壁７の延長部分を画定する前部壁３９と、２つの側部壁４０とを備え、この２つの側部壁４０は、外側容器２の側部８に対して平行であり、この側部８に連結されており、かつ、この側部８の延長部分を画定する。突出部３８がカラー３７の前部壁３９の一体状部分を形成し、かつ、前部壁３９の互いに反対側に位置した側部上で横方向に突き出ることが好ましい。
【００３１】
図１２と図１３と図１４に示されているように、蓋４は２つの座４１（図１２と図１３と図１４には１つの座だけが示されている）を備え、この座の各々はそれぞれの側部壁１２において形成されており、および、外側容器２に面しておりかつ側部壁１２に対して平行である開口部４２を備える。カラー３７の各側部壁４０の頂部部分４３は、蓋４が閉鎖位置にある時に、座４１の開口部４２の中を通ってそれぞれの座４１の内側に嵌り込むような形状にされており、および、カラー３７の各側部壁４０の頂部部分４３とそれぞれの座４１の内側表面との間の摩擦のせいで、蓋４を開くために特定の量の力を加えることが必要であり、および、したがって、このことが蓋４を閉鎖位置に保持するのを促進する。
【００３２】
各々の座４１の開口部４２と、カラー３７の各々の側部壁４０の頂部端縁４４とが、蓋４が閉鎖位置に回転させられる時に頂部端縁４４が開口部４２の内側に（例えば、一種のシザーカット（ｓｃｉｓｓｏｒ  ｃｕｔ）的な動きの形で）漸進的に嵌り込み、したがって蓋４が閉鎖位置に回転させられる時に頂部端縁４４がそれぞれの座４１に対して押し当たって動かなくなることを防止するように設計されている。
【００３３】
図１２と図１４は、開放位置にある蓋４を示し、この開放位置では、カラー３７の各々の側部壁４０の頂部部分４３は、それぞれの側部壁１２に形成されているそれぞれの座４１の外側に位置しており、および、図１３は、閉鎖位置にある蓋４を示し、この閉鎖位置では、カラー３７の各々の側部壁４０の頂部部分４３は、それぞれの側部壁１２に形成されているそれぞれの座４１の内側に位置している。
【００３４】
図１５と図１６に示されているように、図１から図１４における堅固な紙巻き煙草パッケージ１の各々は、平らな実質的に細長い長方形のブランク４５から形成されており、および、このブランク４５の構成要素部分は、可能な場合には、堅固な紙巻き煙草パッケージ１の対応する部分と同一の照合番号（上付き文字を伴う）を使用して表示されている。さらに明確に述べると、図１から図４と、図８と、図９とに示されている堅固な紙巻き煙草パッケージ１は、図１５のブランク４５を折り曲げることによって形成され、および、図１０と図１１に示されている堅固な紙巻き煙草パッケージ１は、図１６のブランク４５を折り曲げることによって形成される。
【００３５】
ブランク４５は、２つの縦方向の折り目線４６と、幾つかの横断方向の折り目線４７とを有し、この横断方向の折り目線４７は、２つの縦方向の折り目線４６との間で、外側容器２の前部壁７を形成するパネル７′と、外側容器２の底部壁９を形成するパネル９′と、外側容器２の後部壁６を形成するパネル６′と、蓋４の後部壁１０を形成するパネル１０′（この場合には、ヒンジ５が横断方向の折り目線４７に一致する）と、蓋４の頂部壁１３を形成するパネル１３′と、蓋４の前部壁１１を形成するパネル１１′と、蓋４の前部壁１１を補強するための内側舌状部４８とを画定する。パネル７′は２つのタブ８′を備え、この２つのタブ８′は、外側容器２の側部壁８のそれぞれの外側部分を形成し、パネル７′の互いに反対側に位置した側部上に位置しており、および、縦方向の折り目線４６によってパネル７′から隔てられている。
【００３６】
パネル６′は２つのタブ８″を有し、この２つのタブ８″は、外側容器２の側部壁８のそれぞれの内側部分を形成し、パネル６′の互いに反対側に位置した側部上に位置しており、および、縦方向の折り目線４６によってパネル６′から隔てられている。各々のタブ８″は、外側容器２の底部壁９を補強するための内側舌状部４９に対して横断方向の折り目線４７に沿って連結されている。
【００３７】
パネル１０′は２つのタブ１２″を有し、この２つのタブ１２″は、蓋４の側部壁１２のそれぞれの内側部分を形成し、パネル１０′の互いに反対側に位置した側部上に位置しており、および、縦方向の折り目線４６によってパネル１０′から隔てられている。各々のタブ１２″は、蓋４の頂部壁１３を補強するための内側舌状部５０に対して横断方向の折り目線４７に沿って連結されている。
【００３８】
パネル１１′は２つのタブ１２′を有し、この２つのタブ１２′は、蓋４の側部壁１２のそれぞれの外側部分を形成し、パネル１１′の互いに反対側に位置した側部上に位置しており、および、縦方向の折り目線４６によってパネル１１′から隔てられている。
【００３９】
図１５の実施形態では、カラー３７はブランク４５と一体状ではなく、したがって、必要に応じて、外側容器２を形成する時に外側容器２のパネル７′とタブ８′とに接着されなければならない。
【００４０】
図１６の実施形態では、カラー３７はブランク４５と一体状であり、すなわち、ブランク４５の不可欠な一部分を形成する。
【００４１】
一実施形態では、ブランク４５と一体状であるカラー３７の前部壁３９は外側容器２の前部壁７と共面であり、および、側部壁４０は外側容器２のそれぞれの側部壁８と共面である。この場合には、蓋４の頂部壁１３は外側容器２の底部壁９よりもわずかに大きく、したがって、蓋４が閉鎖位置にある時には、蓋４の前部壁１１がカラー３７の前部壁３９上に嵌り込み（および、したがって、外側容器２の前部壁７上に嵌り込み）、および、蓋４の側部壁１２はカラー３７のそれぞれの側部壁４０上に嵌り込む（および、したがって、外側容器２のそれぞれの側部壁８上に嵌り込む）。
【００４２】
別の実施形態では、ブランク４５と一体状であるカラー３７の前部壁３９は、外側容器２の前部壁７に対して平行であり、かつ、この前部壁７に対してわずかにオフセットしており、および、側部壁４０は、外側容器２のそれぞれの側部壁８に対して平行であり、かつ、この側部壁８に対してわずかにオフセットしている。これは、ブランク４５の残り部分に対して、すなわち、（外側容器２の前部壁７と側部壁８とに対応する）パネル７′とタブ８′に対して、相対的に前部壁３９と側部壁４０とを押し下げるように、「型押し（ｄｅｂｏｓｓ）」することによって実現される。
【００４３】
図１２から図１４と、図１６とに示されているように、各々の座４１は、対応するタブ１２′上にタブ１２″を折り曲げることによって形成され、したがって、タブ１２″は、対応するタブ１２′から特定の距離を置いて維持され、および、したがって、座４１は、タブ１２′（蓋４の側部壁１２の外側部分を形成する）とタブ１２″（蓋４の側部壁の内側部分を形成する）との間に画定される。
【００４４】
上述した堅固な紙巻き煙草パッケージ１は幾つかの利点を有する。この堅固な紙巻き煙草パッケージは、生産が低コストで迅速であり、および、比較的多数の紙巻き煙草を収容する。紙巻き煙草は、少数の紙巻き煙草を各々が含む幾つかの互いに独立したグループに分割され、および、堅固な紙巻き煙草パッケージ１自体はコンパクトであり、したがってポケットまたはバッグに入れて持ち運ぶことが容易である。
【図面の簡単な説明】
【００４５】
【図１】図１は、本発明による、閉鎖形状構成における、堅固な紙巻き煙草パッケージの正面斜視図を示す。
【図２】図２は、閉鎖形状構成における図１の堅固な紙巻き煙草パッケージの背面斜視図を示す。
【図３】図３は、開放形状構成における図１の堅固な紙巻き煙草パッケージの正面斜視図を示す。
【図４】図４は、内側パッケージが部分的に取り出されている形の、開放形状構成における図１の堅固な紙巻き煙草パッケージの別の正面斜視図を示す。
【図５】図５は、図１の堅固な紙巻き煙草パッケージの内側パッケージの正面斜視図を示す。
【図６】図６は、閉鎖形状構成における図５の内側パッケージの背面斜視図を示す。
【図７】図７は、開放形状構成における図５の内側パッケージの正面斜視図を示す。
【図８】図８は、開放形状構成における図１の堅固な紙巻き煙草パッケージの別の実施形態の正面斜視図示す。
【図９】図９は、内側パッケージが部分的に取り出されている形の、開放形状構成における図８の堅固な紙巻き煙草パッケージの正面斜視図を示す。
【図１０】図１０は、開放形状構成における図１の堅固な紙巻き煙草パッケージのさらに別の実施形態の正面斜視図を示す。
【図１１】図１１は、内側パッケージが部分的に取り出されている形の、開放形状構成における図１０の堅固な紙巻き煙草パッケージの正面斜視図を示す。
【図１２】図１２は、図１０のパッケージの詳細部分の斜視図を示す。
【図１３】図１３は、１つの蓋位置における図１２の詳細部分の側面図を示す。
【図１４】図１４は、別の蓋位置における図１２の詳細部分の側面図を示す。
【図１５】図１５は、図１−４と図８と図９の堅固な紙巻き煙草パッケージの外側容器を生産するためのブランクの平面図を示す。
【図１６】図１６は、図１０と図１１の堅固な紙巻き煙草パッケージの外側容器を生産するためのブランクの平面図を示す。
【図１】
2008531407.tif 000003
【図２】
2008531407.tif 000004
【図３】
2008531407.tif 000005
【図４】
2008531407.tif 000006
【図５】
2008531407.tif 000007
【図６】
2008531407.tif 000008
【図７】
2008531407.tif 000009
【図８】
2008531407.tif 000010
【図９】
2008531407.tif 000011
【図１０】
2008531407.tif 000012
【図１１】
2008531407.tif 000013
【図１２】
2008531407.tif 000014
【図１３】
2008531407.tif 000015
【図１４】
2008531407.tif 000016
【図１５】
2008531407.tif 000017
【図１６】
2008531407.tif 000018
【国際調査報告】
2008531407.tif 000019
2008531407.tif 000020